(57)【要約】      （修正有）【課題】動物の体内から取り出された食道瘻カテーテルの取り出し部の延びる方向が一定の方向になるように保持することができる動物用食道瘻カテーテル装置を提供する。【解決手段】動物用食道瘻カテーテル装置１は、動物の頸部に巻き付け可能なベルト３と、流動物を注入可能なカテーテル５とを備える。ベルトの長手方向中途部には、カテーテルが挿通可能な貫通孔（ガイド孔）３５が形成された保持部材７が設けられている。貫通孔の長さはカテーテルの外径より長尺に形成され、貫通孔にカテーテルを挿通することでカテーテルの長手方向中途部が保持される。【選択図】図１
0003196228.tif 000002
【実用新案登録請求の範囲】
【請求項１】
動物の頸部に巻き付け可能なベルトと、
流動物を注入可能な管状のカテーテルとを備え、
前記ベルトの長手方向中途部には、前記カテーテルが挿通可能なガイド孔が形成された保持部が設けられ、
前記ガイド孔は、前記ベルトを動物の頸部に巻き付けたとき該頸部に対向する前記保持部の裏面と交差する方向に延び、かつ、その延びる方向の前記ガイド孔の長さは、前記カテーテルの太さ寸法と略同一または該太さ寸法より長尺の寸法に形成され、
前記ガイド孔に前記カテーテルが挿通されることで前記カテーテルの長手方向中途部が保持されるように構成されている動物用食道瘻カテーテル装置。
【請求項２】
請求項１に記載の動物用食道瘻カテーテル装置において、
前記保持部は、前記ベルトを動物の頸部に巻き付けたとき該頸部に対向する裏面と該裏面と反対側の表面とを有する平板状の基部と、該基部の表面に該表面と交差する方向に突設された筒状の突部とを備え、
前記突部の軸芯に沿って延び、該突部と前記基部とを貫通する貫通孔によって前記ガイド孔が形成されていることを特徴とする動物用食道瘻カテーテル装置。
【請求項３】
請求項２に記載の動物用食道瘻カテーテル装置において、
内部に雌ねじが形成された雌ねじ部材をさらに備え、
前記カテーテルは、その横断面の外形が円形に形成され、
前記突部は円筒状に形成され、かつ、可撓性を有する材料からなり、
前記ガイド孔に挿通された前記カテーテルの該挿通部は、前記突部の外周部に前記雌ねじ部材が嵌合されて螺合されることで該突部によって緊締されるように構成されていることを特徴とする動物用食道瘻カテーテル装置。
【請求項４】
請求項１ないし請求項３のうち何れか一つに記載の動物用食道瘻カテーテル装置において、
可撓性を有する材料からなり、かつ、一定の緊迫力を付与した状態で前記カテーテルを挿通可能とする貫通孔を中央部に有する平板状のパッドをさらに備え、
前記ガイド孔に挿通された前記カテーテルにおける前記保持部の裏面側に前記パッドが挿通され配置されることを特徴とする動物用食道瘻カテーテル装置。
【請求項５】
請求項１ないし請求項４のうち何れか一つに記載の動物用食道瘻カテーテル装置において、
前記ベルトの長手方向中途部に、前記カテーテルの端部を係止可能な係止具が前記ベルトの長手方向に沿って移動可能に取り付けられていることを特徴とする動物用食道瘻カテーテル装置。
【請求項６】
請求項１ないし請求項５のうち何れか一つに記載の動物用食道瘻カテーテル装置の前記カテーテルを動物の口から体内に挿入するときにその挿入を補助することが可能な棒状の挿入用具であって、
前記挿入用具には、その長手方向に沿って延びるスリットが一端部に形成され、
前記スリットは、動物の体内に挿入される前記カテーテルの端部に穿設された側孔の縁部に係合可能な形状に形成されていることを特徴とする動物用食道瘻カテーテルの挿入用具。
【考案の詳細な説明】
【技術分野】
【０００１】
本考案は、犬や猫等の動物に使用する食道瘻カテーテル装置に関するものである。
【背景技術】
【０００２】
特許文献１に示されている従来の食道瘻カテーテル装置は、犬や猫等の動物の体内に一端部が挿入された食道瘻カテーテルの他端部を、該動物の頸部の切開された開口部から体外に取り出し、その取り出した食道瘻カテーテルの他端部を、該動物の頸部に巻き付けられた首輪で保持するように構成されている。
【先行技術文献】
【特許文献】
【０００３】
【特許文献１】米国特許第８５３９９１２号明細書
【考案の概要】
【考案が解決しようとする課題】
【０００４】
しかしながら、従来の食道瘻カテーテル装置は、犬や猫等の動物の食道に位置する体内から外部に取り出された食道瘻カテーテルの端部を、食道瘻カテーテル装置の一部を構成する首輪の本体に形成されたスリットを含む孔に挿入することで該カテーテルの端部を保持するようにしていた。このため、その保持力が十分ではないので、動物の体内から取り出された該カテーテルの取り出し部の延びる方向が一定の方向になるように保持することが困難であった。このため、動物の体内から取り出された食道瘻カテーテルがその取り出し部で不所望な状態に屈曲し、該カテーテル内に栄養剤等の流動物を注入する際、その注入される流動物が該カテーテル内を円滑に流動しない虞や、また、該カテーテルの保持位置がずれ動くことで、カテーテル先端部が不所望の位置に移動する虞があった。さらには、カテーテルの不潔な体外部が、瘻孔部に入り込み感染リスクを高める虞があった。
【０００５】
本考案は、このような問題を解消するためになされたもので、動物の体内から取り出された食道瘻カテーテルの取り出し部で、ずれ動くことが無く、また、該カテーテルの取り出し部の延びる方向が一定の方向になるように保持することができる動物用食道瘻カテーテル装置を提供することを目的とする。
【課題を解決するための手段】
【０００６】
この目的を達成するために、本考案に係る動物用食道瘻カテーテル装置は、動物の頸部に巻き付け可能なベルトと、流動物を注入可能な管状のカテーテルとを備え、前記ベルトの長手方向中途部には、前記カテーテルが挿通可能なガイド孔が形成された保持部が設けられ、前記ガイド孔は、前記ベルトを動物の頸部に巻き付けたとき該頸部に対向する前記保持部の裏面と交差する方向に延び、かつ、その延びる方向の前記ガイド孔の長さは、前記カテーテルの太さ寸法と略同一または該太さ寸法より長尺の寸法に形成され、前記ガイド孔に前記カテーテルが挿通されることで前記カテーテルの長手方向中途部が保持されるように構成されているものである。
【０００７】
請求項２に記載した考案に係る動物用食道瘻カテーテル装置は、請求項１に記載の動物用食道瘻カテーテル装置において、前記保持部は、前記ベルトを動物の頸部に巻き付けたとき該頸部に対向する裏面と該裏面と反対側の表面とを有する平板状の基部と、該基部の表面に該表面と交差する方向に突設された筒状の突部とを備え、前記突部の軸芯に沿って延び、該突部と前記基部とを貫通する貫通孔によって前記ガイド孔が形成されていることを特徴とするものである。
請求項３に記載した考案に係る動物用食道瘻カテーテル装置は、請求項２に記載の動物用食道瘻カテーテル装置において、内部に雌ねじが形成された雌ねじ部材をさらに備え、前記カテーテルは、その横断面の外形が円形に形成され、前記突部は円筒状に形成され、かつ、可撓性を有する材料からなり、前記ガイド孔に挿通された前記カテーテルの該挿通部は、前記突部の外周部に前記雌ねじ部材が嵌合されて螺合されることで該突部によって緊締されるように構成されていることを特徴とするものである。
【０００８】
請求項４に記載した考案に係る動物用食道瘻カテーテル装置は、請求項１ないし請求項３のうち何れか一つに記載の動物用食道瘻カテーテル装置において、可撓性を有する材料からなり、かつ、一定の緊迫力を付与した状態で前記カテーテルを挿通可能とする貫通孔を中央部に有する平板状のパッドをさらに備え、前記ガイド孔に挿通された前記カテーテルにおける前記保持部の裏面側に前記パッドが挿通され配置されることを特徴とするものである。
【０００９】
請求項５に記載した考案に係る動物用食道瘻カテーテル装置は、請求項１ないし請求項４のうち何れか一つに記載の動物用食道瘻カテーテル装置において、前記ベルトの長手方向中途部に、前記カテーテルの端部を係止可能な係止具が前記ベルトの長手方向に沿って移動可能に取り付けられていることを特徴とするものである。
請求項６に記載した考案に係る動物用食道瘻カテーテルの挿入用具は、請求項１ないし請求項５のうち何れか一つに記載の動物用食道瘻カテーテル装置の前記カテーテルを動物の口から体内に挿入するときにその挿入を補助することが可能な棒状の挿入用具であって、前記挿入用具には、その長手方向に沿って延びるスリットが一端部に形成され、前記スリットは、動物の体内に挿入される前記カテーテルの端部に穿設された側孔の縁部に係合可能な形状に形成されていることを特徴とするものである。
【考案の効果】
【００１０】
請求項１記載の考案によれば、ベルトの長手方向中途部に設けられた保持部に、カテーテルの太さ寸法と略同一または該太さ寸法より長尺の寸法のガイド孔が形成され、該ガイド孔にカテーテルが挿通されることでカテーテルの長手方向中途部が保持されるように構成されているので、動物の体内に挿入留置するカテーテルの長さを適宜調整して保持部に保持させることができる上、動物の体内から取り出された食道瘻カテーテルの取り出し部の延びる方向が一定の方向になるように該カテーテルを保持することができる。
請求項２記載の考案によれば、保持部は、平板状の基部と、該基部の表面に該表面と交差する方向に突設された筒状の突部とを備え、これらの突部と基部とを貫通する貫通孔によってガイド孔が形成されているので、ガイド孔およびガイド孔を含む部分を単純かつコンパクトな構造で構成することができる。
請求項３記載の考案によれば、雌ねじ部材が保持部の突部に嵌合されて螺合されることで該突部によってカテーテルが緊締されるように構成されているので、雌ねじ部材を螺合することで、保持部に対してカテーテルがその長手方向に相対移動するのが規制されるだけでなく、保持部によってカテーテルを確実に保持することができる。
【００１１】
請求項４記載の考案によれば、ガイド孔に挿通されたカテーテルにおける保持部の裏面側に、カテーテルに一定の緊迫力を付与した状態でパッドが挿通され配置されるようにしたので、切開されてカテーテルの取り出し部となっている動物の頸部の開口を適切に保護することができるとともに、該開口から染み出る血液等の体液がカテーテルとパッドとの間から漏洩する虞もない。
請求項５記載の考案によれば、ベルトの長手方向中途部に、カテーテルの端部を係止可能な係止具がベルトの長手方向に沿って移動可能に取り付けられているので、カテーテルの端部が無用に揺動することがない上、ベルトの所望の位置にカテーテルの端部を係止することができる。
請求項６記載の考案によれば、挿入用具には、カテーテルの端部に穿設された側孔の縁部に係合可能なスリットが形成されているので、カテーテルの挿入を補助する挿入用具を単純な構造で構成することができるとともに、該挿入用具を使用することでカテーテルを動物の口から食道内に容易に挿入することができる。
【図面の簡単な説明】
【００１２】
【図１】本考案の第１の実施の形態に係る動物用食道瘻カテーテル装置を、その一部を破断して示した側面図である。
【図２】図１中の矢視Ａ−Ａ線に沿って破断した状態を示した平面図である。
【図３】（１）図はカテーテルを挿入するための挿入具を拡大して示した図であり、（２）図は該挿入具をカテーテルに係合した状態を示した図である。
【図４】（１）図は栓部材の外観を拡大して示した図であり、（２）図は（１）図中の矢視Ｂ−Ｂ線に沿う断面図であり、（３）図は（２）図中の矢視Ｃ−Ｃ線に沿う断面図である。
【図５】（１）図は動物用食道瘻カテーテル装置を動物に装着した状態を示した断面図であり、（２）図は（１）図中の矢視Ｚの方向から見た動物用食道瘻カテーテル装置の一部を示した図である。
【図６】（１）図は他の栓部材を分解した状態の外観を拡大して示した図であり、（２）図は同栓部材を組み立てた状態で一部を破断して示した断面図である。
【考案を実施するための形態】
【００１３】
以下、本考案に係る実施の形態を図１ないし図６を参照して詳細に説明する。なお、各図において、長尺な部材については作図の都合上、長手方向中途部または一端部を省略して図示している。
図１，図２および図５において符号１で示すものは、本実施の形態に係る動物用食道瘻カテーテル装置である。該カテーテル装置１は、栄養剤等の流動物を動物の食道内等に注入するためのものである。該カテーテル装置１は、動物の頸部に巻き付け可能なベルト３と、長尺の円管状のカテーテル５と該カテーテル５が挿通される矩形の平板状のパッド６とを備えている。該カテーテル５は、ポリウレタン，塩化ビニルまたはシリコンエラストマ等の可撓性および粘着性を有する軟質の樹脂材料からなり、動物の食道内に挿入する側となるカテーテル５の挿入側端部には、後述する挿入用具５０のスリット５０ａを係合させるための側孔５ａが穿設されており、該側孔５ａは、カテーテル５の長手方向に長い楕円状に形成されている。パッド６は、抗菌剤を含有した柔軟性を有する弾性部材からなり、かつ、一定の緊迫力を付与した状態でカテーテル５を挿通可能とする貫通孔６ａが中央部に穿設されている。なお、パッド６は、創傷被覆材として一般的に使用される柔軟性を有するものであれば抗菌剤を含有していないものでもよく、スポンジ等の発泡樹脂であってもよい。
【００１４】
ベルト３は、カテーテル５の長手方向中途部を保持する保持部材７と、保持部材７の両端部にそれぞれ連結された第１ベルト片９および第２ベルト片１１とを備えている。保持部材７は、本考案でいう「保持部」を構成する。第１ベルト片９および第２ベルト片１１の各一端部は、保持部材７の両端部にそれぞれ穿設された矩形状の孔１２にそれぞれ挿通され、その挿通された各ベルト片９，１１の先端部がそれぞれ折り返されて各ベルト片９，１１の長手方向中途部にそれぞれ結着されている。これによって、各ベルト片９，１１は、保持部材７を介して連結されている。
保持部材７に連結された第１ベルト片９の一端部とは反対側の他端部は、バックル１３に形成された矩形状の一対の孔１３ａ，１３ａに挿通され、その挿通された第１ベルト片９の先端部が折り返されて第１ベルト片９の長手方向中途部に結着されている。これによって、第１ベルト片９の他端部にはバックル１３が連結されている。
【００１５】
一方、第２ベルト片１１の長手方向中途部には、第２ベルト片１１の長手方向に沿って移動可能に係止具１５が装着されている。該係止具１５は、第２ベルト片１１が挿通される環状のスライダ１７と、該スライダ１７の表面に結着された横断面がＣ字状の把持部１９と、スライダ１７に挿通された第２ベルト片１１とスライダ１７の内周面との間隙（把持部１９が結着された側の間隙）に挿通される帯状の面ファスナ２１とを備えている。面ファスナ２１は柔軟性を有する。スライダ１７は、第２ベルト片１１の長手方向に沿って移動可能に構成されている。カテーテル５の一端部を把持部１９内に挿入してカテーテル５を把持部１９によって把持した状態で、把持部１９を包み込むように面ファスナ２１の両端部同士を重ねて結着することでカテーテル５が係止具１５によって確実に係止される。
また、スライダ１７および把持部１９は、ポリウレタン，塩化ビニルまたはシリコンエラストマ等の可撓性および粘着性を有する軟質の樹脂材料からなる。このため、スライダ１７に挿通された第２ベルト片１１とスライダ１７との接触面同士および把持部１９に把持されたカテーテル５と把持部１９との接触面同士の摩擦力は大きくなり、この摩擦力によって、第２ベルト片１１とスライダ１７との間およびカテーテル５と把持部１９との間の不所望の相対移動が防止される。
【００１６】
保持部材７は、ポリウレタン，塩化ビニルまたはシリコンエラストマ等の可撓性および粘着性を有する軟質の樹脂材料からなる。保持部材７は、ベルト１を動物の頸部に巻き付けたとき該頸部に対向する裏面２７と該裏面２７と反対側の表面２９とを有する平板状の基部３１と、該基部３１の表面２９に突設された円筒状の突部３３とを備えている。突部３３は、基部３１の裏面２７および表面２９と直交する方向に延びている。
なお、基部３１と突部３３とは一体成形されているが、それぞれを別体で構成し、両者を接着することで一体化してもよい。図１中において二点鎖線で囲む部分を拡大して示すように、突部３３の外周部には、アクリロニトリルブタジエンスチレン（ＡＢＳ），ポリプロピレンまたはポリカーボネート等の硬質の樹脂材料からなる雌ねじ部材３４が嵌合されて螺合される。
【００１７】
また、基部３１および突部３３には、突部３３の軸芯に沿って延び、基部３１と突部３３とを貫通する貫通孔３５が穿設されている。貫通孔３５は、その横断面の形状が円形に形成されている。この実施の形態では、突部３３の軸芯方向に沿う突部３３および貫通孔３５の長さは、カテーテル５の太さ寸法、すなわち外径寸法より長尺に形成されているが、貫通孔３５の長さをカテーテル５の太さ寸法と略同一の寸法に形成してもよい。また、貫通孔３５の内径はカテーテル５の外径寸法と略同一の寸法に形成されている。貫通孔３５は、本考案でいう「ガイド孔」を構成する。軟質の樹脂材料からなる保持部材７の突部３３の外周部に硬質の樹脂材料からなる雌ねじ部材３４を嵌合して螺合することで、突部３３の外周部に雄ねじ部を形成しなくても雌ねじ部材３４の雌ねじ部が突部３３の外周部に食い込んで螺合することができるとともに、貫通孔３５に挿通されたカテーテル５の該挿通部は突部３３によって緊締される。雌ねじ部材３４の外周面の軸芯方向中途部には、軸芯方向に平行に延びる複数の突条部３４ａ…が周方向に等角度間隔を隔てて形成されており、これら突条部３４ａ…によって、雌ねじ部材３４を突部３３に嵌合して指で螺合する際に指が滑りにくくなる。
【００１８】
＜カテーテル装置の装着作業の手順＞
次に、カテーテル装置１を装着する動物として例えば猫に装着する場合の作業手順の一例について説明する。
まず、猫に全身麻酔を施して猫を鎮静状態にする。次に、猫の食道が位置する頸部を一定の面積に亘って剃毛したのち、剃毛した部位に消毒液を塗布して消毒する。
次に、猫の体格に合わせて、カテーテル５の挿入すべき長さを定め、その定めた長さの部位（カテーテル５の長手方向中途部）にマークを付ける。このとき、カテーテル５の挿入側端部（猫の食道内に挿入する側となる端部）とは反対側の端部を、パッド６の中央部の貫通孔６ａとベルト３の保持部材７の貫通孔３５とにこれらの順に予め挿通しておく。
次に、外科的な鋏の一種であるケリー鉗子（図示せず）を猫の口から食道内に一定の深さまで挿入した状態で、ケリー鉗子の先端を食道内から外方に向かって持ち上げることによって猫の頸部の皮膚を外方に向かって突出させる。
次に、その突出させた皮膚をメス（図示せず）で一定の長さだけ切開したのち、その切開した頸部の開口からケリー鉗子の先端を外部に臨ませる。
次に、カテーテル５の挿入側端部（猫の食道内に挿入する側となる端部）をケリー鉗子の先端部によって把持した状態で頸部の開口内にカテーテル５を引き込んだのち、ケリー鉗子を猫の口からカテーテル５と共に引っ張り出す。このとき、カテーテル５の長手方向中途部に付けた前記マークが、切開した頸部の開口に位置するまで引っ張り出す。これによって、カテーテル５の挿入側端部は猫の口から外部に取り出される一方、カテーテル５の他端部は、切開した頸部の開口から外部に臨んだ状態となる。
【００１９】
次に、カテーテル５の挿入側端部を猫の食道内に挿入し、さらに食道の終端部（食道から胃への移行部である噴門の手前）まで挿入する。この挿入作業では、該挿入を補助することが可能な棒状の挿入用具の一例として、図３の（１）図に示す管状の挿入用具５０を使用すると円滑に挿入することができる。この挿入用具５０は、ポリプロピレンまたはナイロン等の硬質の樹脂材料からなり、その長手方向に沿って延びるスリット５０ａが一端部に一定の長さだけ形成されている。これによって、挿入用具５０の一端部は二股状に形成されている。スリット５０ａは、動物の体内に挿入されるカテーテル５の端部に穿設された側孔５ａの縁部に係合可能な形状に形成されている。この挿入用具５０を使用して猫の口からカテーテル５を挿入する際は、図３の（２）図に示すように、カテーテル５の挿入側端部に穿設された側孔５ａの縁部に挿入用具５０のスリット５０ａを係合させた状態で、カテーテル５の挿入側端部を挿入用具５０と共に猫の口腔から食道の終端部まで挿入する。
【００２０】
なお、大型犬等の動物のように、口腔から食道の終端部までの長さが猫等の小さな動物に比べて長い場合は、その分、挿入用具５０の全長も長いものが必要になる。このような長尺となる挿入用具５０は、図３の（１）図に示すように、その長手方向略中央部で折り目５０ｂを付けて、梱包する際は折り目５０ｂの箇所で半分に屈曲して梱包用の袋にコンパクトに収納することができるように構成してもよい。勿論、猫等の小さな動物に使用する比較的短い挿入用具５０であっても、同様にその長手方向略中央部で折り目５０ｂを付けてコンパクトに収納することができるように構成してもよい。
次に、挿入用具５０を猫の口から外部に取り出したのち、切開した猫の頸部の開口から外部に臨んでいるカテーテル５の端部に予め挿通されていたパッド６とベルト３の保持部材７とをカテーテル５の外周面に沿って共に摺動させる。このとき、猫の頸部に対してカテーテル５が相対移動しないように注意しながら、切開した猫の頸部の開口部にパッド６の対向面が当接するまでカテーテル５の外周面に沿ってパッド６と保持部材７とを一緒に摺動させる。
【００２１】
次に、保持部材７の突部３３の外周部に雌ねじ部材３４を嵌合して螺合する。これによって、保持部材７の貫通孔３５に挿通されたカテーテル５の該挿通部は、保持部材７の突部３３によって緊締され、保持部材７に対して相対移動が規制される。
次に、ベルト３の第２ベルト片１１の端部を第１ベルト片９のバックル１３の一対の孔１３ａ，１３ａに挿通して猫の頸部の回りにベルト３を巻き付けたのち、バックル１３の孔１３ａから延びた余剰の第２ベルト片１１の部分を切除する。
【００２２】
次に、切開した猫の頸部の開口から外部に臨んでいるカテーテル５の余剰の端部を切除したのち、カテーテル５の端部に、図４に示す栓部材６０を挿入して密栓する。栓部材６０は、カテーテル５の端部に挿入する円管状の挿入部６３と、該挿入部６３に嵌合され結着された円管状の頭部６５と、該頭部６５内に圧入された柱状のシール部材６７とを備える。挿入部６３は、先端側ほど小径に形成され、その軸芯に沿う方向に一定の間隔を隔てて４つのリブ６３ａが外周面の全周に亘って形成されている。カテーテル５は可撓性を有する軟質の樹脂材料によって構成されているため、カテーテル５に栓部材６０を挿入したとき、カテーテル５が変形してカテーテル５の内周面とリブ６３ａの外周部とが液密に圧接され、カテーテル５の端部の開口から異物や細菌が浸入することが防止される。
また、シール部材６７には、その軸芯に沿う方向から見て直径に当たる部分の中央部に一定の長さで切り込み６７ａが入れられている。該切り込み６７ａはシール部材６７の軸芯に沿う方向の全域に亘って入れられ、該切り込み６７ａによってシール部材６７は貫通されている。なお、シール部材６７は、ゴム部材またはその他の樹脂材からなる弾性部材により構成されているので、切り込み６７ａの切り込み部は、通常は密着しており、外部から異物や細菌が浸入することが防止される。
【００２３】
次に、第２ベルト片１１に対して係止具１５を適当な位置に移動させたのち、外部に臨んでいるカテーテル５の端部を把持部１９内に嵌合してカテーテル５を把持部１９によって把持した状態で、把持部１９を包み込むように面ファスナ２１の両端部同士を重ねて結着する。これによって、カテーテル５が係止具１５によって確実に係止される。
以上で、カテーテル装置１の装着作業が終了し、図５に示すような状態でカテーテル装置１が猫の頸部Ｎに装着される。
【００２４】
猫の頸部に装着されたカテーテル装置１を使用して、猫の食道内に栄養剤等の流動物を注入する場合は、該流動物が充填された注射器（図示せず）の注入部を栓部材６０のシール部材６７の切り込み６７ａに挿入する。このとき、シール部材６７はゴム部材またはその他の樹脂材からなる弾性部材により構成されているので、切り込み６７ａに挿入された注射器の注入部の外周面と切り込み６７ａの切り込み部とは密着するため、それらの間から異物や細菌が浸入することが防止される。また、注射器による流動物の注入作業が終了して、シール部材６７の切り込み６７ａから注射器の注入部を引き抜くと切り込み６７ａの切り込み部は弾性変形して元の密着状態に戻るため、切り込み６７ａを介して外部から異物や細菌が浸入することはない。
なお、上述したカテーテル装置１の装着の作業手順では、動物として猫を例に挙げて説明したが、猫以外の動物としてネコ科に属するその他の動物や犬およびイヌ科に属するその他の動物にも同様の手順でカテーテル装置１を装着することができるのは言うまでもない。
また、上述したカテーテル装置１の装着の作業手順では、カテーテル５を挿入してその挿入端を到達させる臓器の部位を、食道の終端部として説明したが、これに限らず、目的に応じて例えば胃まで挿入することもできる。
【００２５】
また、上述した実施の形態のカテーテル装置１では、保持部材７の突部３３に雌ねじ部材３４を嵌合して螺合することで、貫通孔３５に挿通されたカテーテル５の該挿通部が突部３３によって緊締され、保持部材７に対してカテーテル５の相対移動が確実に規制されるように構成した。しかし、カテーテル５および保持部材７は共に粘着性を有する軟質の樹脂材料からなるので、保持部材７の貫通孔３５に挿通されたカテーテル５の外周面と貫通孔３５の内周面との接触面同士の摩擦力は比較的大きくなる。このため、この摩擦力によって、カテーテル５と保持部材７との間の不所望の相対移動は規制されるので、雌ねじ部材３４を省略してもよい。
【００２６】
また、上述した実施の形態のカテーテル装置１では、切開した猫の頸部の開口から外部に臨んでいるカテーテル５の端部に、シール部材６７が組み込まれた栓部材６０を挿入して密栓するようにしたが、この栓部材６０に替えて、図６に示す別の栓部材７０を挿入して密栓するようにしてもよい。
この栓部材７０は、カテーテル５の端部に挿入する円管状の栓部材本体７３と、該栓部材本体７３内に着脱可能に嵌合される円柱状の嵌合部材７５とを備える。栓部材本体７３は、先端側ほど小径に形成され、その軸芯に沿う方向に一定の間隔を隔てて４つのリブ７３ａが外周面の全周に亘って形成されている。この栓部材７０によって密栓されたカテーテル５から流動物を注射器によって注入する場合は、栓部材本体７３から嵌合部材７５を取り外したのち、栓部材本体７３内に注射器の注入部を挿入して行う。注入作業が終了したら、嵌合部材７５を栓部材本体７３内に再び嵌合して密栓する。したがって、この栓部材７０をカテーテル５の端部に挿入して密栓した場合は、流動物を注射器によって注入するときにカテーテル５の端部から栓部材本体７３まで取り外す必要はない。
【００２７】
また、上述した実施の形態のカテーテル装置１では、保持部材７の突部３３は基部３１の表面２９と直交する方向に突設され、これに伴って貫通孔３５も基部３１の裏面２７および表面２９と直交する方向に延びるように構成したが、これに替えて、基部３１の表面２９に対して所望の角度で交差するように突部３３および貫通孔３５を延設してもよい。
また、上述した実施の形態では、挿入用具５０を中空の部材により構成し、その長手方向略中央部で折り目５０ｂを付けて半分に屈曲することができるように構成してもよい旨、説明したが、中実の部材により構成してもよいし、折り目を廃止して、とぐろ状に屈曲した状態で梱包用の袋に収納するようにしてもよい。
【００２８】
上述したような本考案の実施の形態によれば、ベルト３の長手方向中途部に設けられた保持部材７に、カテーテル５の直径と略同一または該直径より長尺の寸法の貫通孔３５が形成され、該貫通孔３５にカテーテル５が挿通されることでカテーテル５の長手方向中途部が保持されるように構成されているので、動物の体内に挿入留置するカテーテル５の長さを適宜調整して保持部材７に保持させることができる上、動物の体内から取り出されたカテーテル５の取り出し部の延びる方向が一定の方向になるようにカテーテル５を保持することができる。
また、この実施の形態によれば、保持部材７は、平板状の基部３１と、裏面２７および表面２９と直交する方向に該表面２９に突設された筒状の突部３３とを備え、これらの基部３１と突部３３とを貫通する貫通孔３５にカテーテル５が挿通されることでカテーテル５の長手方向中途部が保持されるように構成されているので、貫通孔３５および該貫通孔３５を含む部分を単純かつコンパクトな構造で構成することができる。
また、この実施の形態によれば、雌ねじ部材３４が保持部材７の突部３３に嵌合されて螺合されることで該突部３３によってカテーテル５が緊締されるように構成されているので、雌ねじ部材３４を螺合することで、保持部材７に対してカテーテル５がその長手方向に相対移動するのが規制されるだけでなく、保持部材７によってカテーテル５を確実に保持することができる。この結果、動物の体内から取り出されたカテーテル５がその取り出し部で不所望な状態に屈曲することがなく、該カテーテル５内に注入される栄養剤等の流動物は該カテーテル５内を円滑に流動することができる。
【００２９】
また、この実施の形態によれば、保持部材７の貫通孔３５に挿通されたカテーテル５における保持部材７の裏面２７側に、カテーテル５に一定の緊迫力を付与した状態でパッド６が挿通され配置されるようにしたので、切開されてカテーテル５の取り出し部となっている動物の頸部の開口を適切に保護することができるとともに、該開口から染み出る血液等の体液がカテーテル５の外周部とパッド６の貫通孔６ａの内周部との間から漏洩する虞もない。
また、この実施の形態によれば、ベルト３の第２ベルト片１１の長手方向中途部に、カテーテル５の端部を係止可能な係止具１５が第２ベルト片１１の長手方向に沿って移動可能に取り付けられているので、カテーテル５の端部が無用に揺動することがない上、第２ベルト片１１の所望の位置にカテーテル５の端部を係止することができる。
さらにまた、この実施の形態によれば、カテーテル５の端部に側孔５ａを穿設する一方、挿入用具５０には、該側孔５ａの縁部に係合可能なスリット５０ａが形成されているので、カテーテル５の挿入を補助する挿入用具を単純な構造で構成することができるとともに、該挿入用具５０を使用することでカテーテル５を動物の口から体内に容易に挿入することができる。
【符号の説明】
【００３０】
１    動物用食道瘻カテーテル装置
３    ベルト
５    カテーテル
５ａ    側孔
６    パッド
６ａ    貫通孔
７    保持部材（保持部）
１５    係止具
２７    裏面
２９    表面
３１    基部
３３    突部
３４    雌ねじ部材
３５    貫通孔（ガイド孔）
５０    挿入用具
５０ａ    スリット
【図１】
0003196228.tif 000003
【図２】
0003196228.tif 000004
【図３】
0003196228.tif 000005
【図４】
0003196228.tif 000006
【図５】
0003196228.tif 000007
【図６】
0003196228.tif 000008